(57)【要約】【課題】不要なセルサーチを省略し、消費電流を低減可能な携帯電話装置を提供する。【解決手段】アンテナ１１は入力される受信信号をセルサーチ回路１２と品質測定回路１３とにそれぞれ出力する。セルサーチ回路１２はアンテナ１１からの受信信号を基にセルを検出し、検出したセルを品質測定回路２に出力する。品質測定回路１３はセルサーチ回路１２で検出されたセルの品質を測定し、その測定結果を周辺セル数算出回路１４に出力する。周辺セル数算出回路１４は品質測定回路１３で測定された待ち受けセルとモニタセルとの品質結果を基に、周辺に存在しうる未検出のセル数を算出し、その未検出のセル数をセルサーチ回路１２に出力する。【選択図】      図１
2005005919.tif 000002
【特許請求の範囲】
【請求項１】
待ち受け時に所定周期で周辺セルサーチを行う携帯電話装置であって、前記待ち受け時に待ち受けセルとモニタセルとの品質に応じて未検出セル数を予想する手段と、その予想したセル数だけ前記周辺セルサーチを行う手段とを有することを特徴とする携帯電話装置。
【請求項２】
セルを検出するためのセルサーチ回路と、前記セルサーチ回路で検出されたセルの品質を測定する品質測定回路と、前記品質測定回路で測定された待ち受けセルとモニタセルとの品質結果を基に周辺に存在しうる未検出のセル数を算出する周辺セル数算出回路とを有し、前記周辺セル数算出回路で算出された前記未検出のセル数だけ前記セルサーチ回路でセルサーチを行うことを特徴とする携帯電話装置。
【請求項３】
前記品質測定回路で測定された待ち受けセルとモニタセルとの品質結果と前記周辺セル数算出回路で算出された未検出のセル数との関係を学習する学習機能を含み、前記周辺セル数算出回路が前記学習機能の学習結果と前記品質測定回路の測定結果とから前記周辺に存在しうる未検出のセル数を算出することを特徴とする請求項２記載の携帯電話装置。
【請求項４】
前記周辺セル数算出回路で算出された前記未検出のセル数が予め設定された閾値以下の時に前記周辺セルサーチを抑止することを特徴とする請求項２または請求項３記載の携帯電話装置。
【請求項５】
前記周辺セル数算出回路は、通信中における前記未検出のセル数を算出し、
前記セルサーチ回路が前記周辺セル数算出回路の算出結果に基づいて前記セルサーチを行うことを特徴とする請求項２から請求項４のいずれか記載の携帯電話装置。
【請求項６】
待ち受け時に所定周期で周辺セルサーチを行う携帯電話装置の周辺セルサーチ方法であって、前記携帯電話装置側で、前記待ち受け時に待ち受けセルとモニタセルとの品質に応じて未検出セル数を予想し、その予想したセル数だけ前記周辺セルサーチを行うことを特徴とする周辺セルサーチ方法。
【請求項７】
セルサーチ回路で検出されたセルの品質を品質測定回路で測定し、その測定された待ち受けセルとモニタセルとの品質結果を基に周辺に存在しうる未検出のセル数を周辺セル数算出回路で算出し、前記周辺セル数算出回路で算出された前記未検出のセル数だけ前記セルサーチ回路でセルサーチを行うことを特徴とする周辺セルサーチ方法。
【請求項８】
前記品質測定回路で測定された待ち受けセルとモニタセルとの品質結果と前記周辺セル数算出回路で算出された未検出のセル数との関係を学習機能で学習し、前記周辺セル数算出回路が前記学習機能の学習結果と前記品質測定回路の測定結果とから前記周辺に存在しうる未検出のセル数を算出することを特徴とする請求項７記載の周辺セルサーチ方法。
【請求項９】
前記周辺セル数算出回路で算出された前記未検出のセル数が予め設定された閾値以下の時に前記周辺セルサーチを抑止することを特徴とする請求項７または請求項８記載の周辺セルサーチ方法。
【請求項１０】
前記周辺セル数算出回路は、通信中における前記未検出のセル数を算出し、
前記セルサーチ回路が前記周辺セル数算出回路の算出結果に基づいて前記セルサーチを行うことを特徴とする請求項７から請求項９のいずれか記載の周辺セルサーチ方法。
【発明の詳細な説明】
【０００１】
【発明の属する技術分野】
本発明は携帯電話装置及びそれに用いる周辺セルサーチ方法に関し、特にＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ−２０００）方式の携帯電話装置において待ち受け時に行う周辺セルサーチに関する。
【０００２】
【従来の技術】
従来、この種の携帯電話装置においては、通信待ち受け時における間欠受信モードで、下りリンクにおいて最も受信電力（逆拡散後の相関ピーク電力）の大きな共通パイロットチャネル（ＣＰＩＣＨ：Ｃｏｍｍｏｎ  Ｐｉｌｏｔ  Ｃｈａｎｎｅｌ）のスクランブルコードを有するセルを検出するセルサーチが行われている。
【０００３】
すなわち、この携帯電話装置では、通信待ち受け時において、一定時間毎に最大受信レベルの共通パイロットチャネルを有するセルを検出するセルサーチと、このセルからのページングチャネル（ＰＣＨ：Ｐａｇｉｎｇ  Ｃｈａｎｎｅｌ）の受信を間欠的に行う。
【０００４】
これによって、携帯電話装置では、サーチすべき周辺セルのスクランブルコードの種類及び自装置における共通パイロットチャネルの平均的な受信タイミングが既知となるので、短時間での周辺セルサーチが可能となる（例えば、非特許文献１参照）。
【０００５】
上記の携帯電話装置において周辺セルサーチを行う回路部分を図３に示す。図３において、携帯電話装置２はアンテナ２１と、セルサーチ回路２２と、品質測定回路２３とを備えている。
【０００６】
アンテナ２１より受信される受信信号はセルサーチ回路２２で信号解析され、待ち受けセル（Ｓｅｒｖｉｎｇ  Ｃｅｌｌ）とモニタセル（Ｍｏｎｉｔｏｒ  Ｃｅｌｌ）とが決定される。それら待ち受けセル及びモニタセルの情報は品質測定回路２３に通達され、品質測定回路２３で待ち受けセルとモニタセルとの品質Ｅｃ／Ｎｏが測定される。
【０００７】
【非特許文献１】
「Ｗ−ＣＤＭＡ移動通信方式  ２無線伝送方式  ２−２Ｗ−ＣＤＭＡ基本伝送技術  ２−２−２セルサーチ」（立川敬二  監修、丸善株式会社刊、平成１３年６月２５日発行、第３５−４５頁）
【０００８】
【発明が解決しようとする課題】
上述した従来の携帯電話装置では、待ち受け時に行う周辺セルサーチを、待ち受けセルの品質に依らず、常に周辺にセルがないかのサーチを実施するか、もしくは待ち受けセルの品質がある一定以上の場合に全く周辺をサーチしない。
【０００９】
逆に、従来の携帯電話装置では、待ち受けセルの品質がある一定以下だと、常に周辺にセルがないかのサーチを実施しているため、存在しうるセルをモニタセルとして全て検出済みであっても、不要なサーチを実施して消費電流を増大させることとなる。
【００１０】
そこで、本発明の目的は上記の問題点を解消し、不要なセルサーチを省略することができ、消費電流を低減することができる携帯電話装置及びそれに用いる周辺セルサーチ方法を提供することにある。
【００１１】
【課題を解決するための手段】
本発明による携帯電話装置は、待ち受け時に所定周期で周辺セルサーチを行う携帯電話装置であって、前記待ち受け時に待ち受けセルとモニタセルとの品質に応じて未検出セル数を予想する手段と、その予想したセル数だけ前記周辺セルサーチを行う手段とを備えている。
【００１２】
本発明による他の携帯電話装置は、セルを検出するためのセルサーチ回路と、前記セルサーチ回路で検出されたセルの品質を測定する品質測定回路と、前記品質測定回路で測定された待ち受けセルとモニタセルとの品質結果を基に周辺に存在しうる未検出のセル数を算出する周辺セル数算出回路とを備え、前記周辺セル数算出回路で算出された前記未検出のセル数だけ前記セルサーチ回路でセルサーチを行っている。
【００１３】
本発明による周辺セルサーチ方法は、待ち受け時に所定周期で周辺セルサーチを行う携帯電話装置の周辺セルサーチ方法であって、前記携帯電話装置側で、前記待ち受け時に待ち受けセルとモニタセルとの品質に応じて未検出セル数を予想し、その予想したセル数だけ前記周辺セルサーチを行っている。
【００１４】
本発明による他の周辺セルサーチ方法は、セルサーチ回路で検出されたセルの品質を品質測定回路で測定し、その測定された待ち受けセルとモニタセルとの品質結果を基に周辺に存在しうる未検出のセル数を周辺セル数算出回路で算出し、前記周辺セル数算出回路で算出された前記未検出のセル数だけ前記セルサーチ回路でセルサーチを行っている。
【００１５】
すなわち、本発明の周辺セルサーチ方法は、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ−２０００）方式の携帯電話装置において、特に待ち受け時に待ち受けセル（Ｓｅｒｖｉｎｇ  Ｃｅｌｌ）とモニタセル（Ｍｏｎｉｔｏｒ  Ｃｅｌｌ）との品質Ｅｃ／Ｎｏに応じて未検出セル数を予想し、予想したセル数だけをサーチすることで、不要なセルサーチを省略し、消費電流を削減することを特徴とする。
【００１６】
より具体的に説明すると、本発明の周辺セルサーチ方法では、セルを検出するためのセルサーチ回路と、検出できたセルの品質を測定する品質測定回路と、測定された品質を基に周辺セル数を算出する周辺セル数算出回路とを携帯電話装置に具備し、品質測定回路で測定された待ち受けセルとモニタセルとの品質結果を基に周辺セル数算出回路が周辺に存在しうる未検出のセル数を算出し、その未検出のセル数をセルサーチ回路へ与えることで、存在する可能性のあるセル数だけをサーチしている。
【００１７】
これによって、本発明の周辺セルサーチ方法では、待ち受けセルとモニタセルとの品質Ｅｃ／Ｎｏを測定し、その測定された品質Ｅｃ／Ｎｏを総和することで、周辺に存在しうるセル数を予め算出することが可能となるので、存在しうるセル数以上のセルサーチを行わなくて済むため、不要なセルサーチを省略することが可能となり、消費電流を低減することが可能となる。
【００１８】
【発明の実施の形態】
次に、本発明の実施例について図面を参照して説明する。図１は本発明の一実施例による携帯電話装置における周辺セルサーチを行う回路部分の構成を示すブロック図である。図１において、携帯電話装置１はＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ−２０００）方式の携帯電話装置であり、アンテナ１１と、セルサーチ回路１２と、品質測定回路１３と、周辺セル数算出回路１４とから構成されている。
【００１９】
アンテナ１１は入力される受信信号をセルサーチ回路１２と品質測定回路１３とにそれぞれ出力する。セルサーチ回路１２はアンテナ１１からの受信信号を基にセルを検出し、検出したセルを品質測定回路２に出力する。
【００２０】
品質測定回路１３はセルサーチ回路１２で検出されたセルの品質を測定し、その測定結果を周辺セル数算出回路１４に出力する。周辺セル数算出回路１４は品質測定回路１３で測定された待ち受けセルとモニタセルとの品質結果を基に、周辺に存在しうる未検出のセル数を算出し、その未検出のセル数をセルサーチ回路１２に出力する。
【００２１】
図２は図１の携帯電話装置１の動作を示すフローチャートである。これら図１及び図２を参照して携帯電話装置１の動作について説明する。
【００２２】
アンテナ１１で受信された受信信号はセルサーチ回路１２で信号解析され、待ち受けセル（Ｓｅｒｖｉｎｇ  Ｃｅｌｌ）とモニタセル（Ｍｏｎｉｔｏｒ  Ｃｅｌｌ）とが決定される。その待ち受けセル及びモニタセルの情報は品質測定回路１３に通達され、待ち受けセルとモニタセルとの品質Ｅｃ／Ｎｏが測定される。
【００２３】
待ち受けセルとモニタセルとの品質情報は周辺セル数算出回路１４に入力され、周辺セル数算出回路１４で周辺に存在しうる未検出なセル数が算出され、算出結果がセルサーチ回路１２に通達される。セルサーチ回路１２は周辺セル数算出回路１４から通達される未検出セル数がある場合に、未検出セル数分だけ検出するようにサーチ動作を繰り返す。
【００２４】
例えば、品質測定回路１４では、図２に示すように、待ち受けセルとモニタセルとの品質Ｅｃ／Ｎｏを測定する。図２には、測定結果として、
＜Ｅｘａｍｐｌｅ１＞
Ｓｈｅｒｖｉｎｇ  Ｃｅｌｌ：Ｅｃ／Ｎｏ＝３ｄＢ
＜Ｅｘａｍｐｌｅ２＞
Ｓｈｅｒｖｉｎｇ  Ｃｅｌｌ：Ｅｃ／Ｎｏ＝６ｄＢ
Ｍｏｎｉｔｏｒ  Ｃｅｌｌ  ：Ｅｃ／Ｎｏ＝６ｄＢ
＜Ｅｘａｍｐｌｅ３＞
Ｓｈｅｒｖｉｎｇ  Ｃｅｌｌ：Ｅｃ／Ｎｏ＝６ｄＢ
Ｍｏｎｉｔｏｒ  Ｃｅｌｌ  ：Ｅｃ／Ｎｏ＝１２ｄＢ
の３つの例を図示している。
【００２５】
図２を参照して周辺セル数算出回路１４の動作について説明する。ＩＭＴ−２０００方式で、常時、図示せぬ基地局から送信されているＰ−ＣＰＩＣＨ（Ｐｒｉｍａｒｙ  Ｃｏｍｍｏｎ  Ｐｉｌｏｔ  Ｃｈａｎｎｅｌ）とＰ−ＣＣＰＣＨ（Ｐｒｉｍａｒｙ  Ｃｏｍｍｏｎ  Ｃｏｎｔｒｏｌ  Ｐｈｙｓｉｃａｌ  Ｃｈａｎｎｅｌ）を、例えば、Ｐ−ＣＰＩＣＨ／Ｐ−ＣＣＰＣＨ＝０ｄＢとしている場合について説明する。
【００２６】
品質の測定は、一般的に、Ｐ−ＣＰＩＣＨのＥｃ／Ｎｏ［＝ＲＳＣＰ（Ｒｅｃｅｉｖｅｄ  Ｓｉｇｎａｌ  Ｃｏｄｅ  Ｐｏｗｅｒ）−ＲＳＳＩ（Ｒｅｃｅｉｖｅ  Ｓｉｇｎａｌ  Ｓｔｒｅｎｇｔｈ  Ｉｎｄｉｃａｔｉｏｎ）］を測定して求められる。
【００２７】
したがって、１セル理想環境では、Ｐ−ＣＰＩＣＨ／ＰＣＣＰＣＨ＝０ｄＢであることから、品質Ｅｃ／Ｎｏが−３ｄＢとなる（図２ステップＳ１）。よって、例えば、待ち受けセルの品質Ｅｃ／Ｎｏが−３ｄＢの場合には周辺にセルが存在しないので（図２ステップＳ２）、未検出セルのサーチを実施しない（図２ステップＳ４）。
【００２８】
また、待ち受けセルの品質Ｅｃ／Ｎｏが−６ｄＢの場合には、周辺にセルが少なくとも１セルは存在する可能性があるので（図２ステップＳ２）、モニタしているセルがなければ、未検出セルが少なくとも１セルあるとして１セル分サーチを実施する（図２ステップＳ３）。
【００２９】
モニタしているセルが１セルある場合には、モニタセルの品質Ｅｃ／Ｎｏが−６ｄＢであれば、他のセルが存在しないので、未検出セルをサーチしない。また、モニタセルの品質Ｅｃ／Ｎｏが−６ｄＢ未満の場合には、他のセルが１セル存在する可能性があるので、未検出セルが少なくとも１セルあるとして、１セル分サーチを実施する。
【００３０】
上述したように、本実施例では、待ち受けセルとモニタセルとの品質Ｅｃ／Ｎｏの総和から存在しうるセル数を算出することが可能となり、未検出セルが存在する可能性がある場合のみセルサーチ回路１２が周辺セル数算出回路１４から指示され、サーチ動作を実施する。
【００３１】
このように、本実施例では、待ち受けセルとモニタセルとの品質Ｅｃ／Ｎｏを測定し、その測定された品質Ｅｃ／Ｎｏを総和することで、周辺に存在しうるセル数を予め算出することができ、存在しうるセル数以上のセルサーチを行わなくて済むため、不要なセルサーチを省略することができ、消費電流を低減することができる。
【００３２】
尚、本発明では、オペレータによってＰ−ＣＰＩＣＨとＰ−ＣＣＰＣＨとのパワー比が違う場合もあるので、携帯電話装置１内部に、測定された品質Ｅｃ／Ｎｏの総和と算出された周辺に存在しうるセル数との関係を学習する学習機能を持たせることで、周辺に存在しうるセル数をより精度が高く予見することができる。
【００３３】
また、本発明では、待ち受けセルとモニタセルとの品質Ｅｃ／Ｎｏの総和によって、品質の悪い、例えば品質Ｅｃ／Ｎｏ＝−１５ｄＢ未満の未検出セルが存在しうることを算出することができた場合に、品質の悪いセルを検出しても有益ではないため、予めある閾値以下の未検出セルの存在を算出することができてもサーチを実施しないとすることも可能である。これによって、不要なサーチを削減することができ、消費電流の低減を実現することができる。
【００３４】
さらに、本発明では、上記の周辺セルサーチ方法を通信中にも利用することが可能である。携帯電話装置１においては通信中、常にセルサーチを行っているので、消費電流削減の効果はないが、不要なサーチを省略することでアクティブセル（Ａｃｔｉｖｅ  Ｃｅｌｌ）やモニタセルのサーチ周期を早めることが可能となり、より精度の高いサーチと平均化とが可能となる。
【００３５】
例えば、Ａｃｔｉｖｅ１、Ａｃｔｉｖｅ２、及びＭｏｎｉｔｏｒ１が見えており、それぞれのセルの品質Ｅｃ／Ｎｏの和が存在しうるセルの値と等しくなる場合には、未検出な周辺セルが存在しないことになる。したがって、この場合には毎回、Ａｃｔｉｖｅ１、Ａｃｔｉｖｅ２、及びＭｏｎｉｔｏｒ１だけを周期監視していれば良いことになる。
【００３６】
【発明の効果】
以上説明したように本発明は、上述したような構成及び動作とすることで、不要なセルサーチを省略することができ、消費電流を低減することができるという効果が得られる。
【図面の簡単な説明】
【図１】本発明の一実施例による携帯電話装置における周辺セルサーチを行う回路部分の構成を示すブロック図である。
【図２】図１の携帯電話装置の動作を示すフローチャートである。
【図３】従来例による携帯電話装置における周辺セルサーチを行う回路部分の構成を示すブロック図である。
【符号の説明】
１  携帯電話装置
１１  アンテナ
１２  セルサーチ回路
１３  品質測定回路
１４  周辺セル数算出回路
【図１】
2005005919.tif 000003
【図２】
2005005919.tif 000004
【図３】
2005005919.tif 000005